【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
オンライン・プレゼンス情報を提供する方法であって、
ユーザにとって既知であると推論された人々のリストにアクセスすることと、
前記ユーザのオンライン・プレゼンス情報にアクセスすることと、
前記オンライン・プレゼンス情報の潜在的受信者を調べることと、
前記潜在的受信者を前記アクセスされたリストと比較して、前記潜在的受信者が前記リストに含まれているかどうかを調べることと、
前記潜在的受信者が前記リストに含まれているかどうかに基づいて、前記オンライン・プレゼンス情報を前記潜在的受信者に伝達するかどうかを決定することとを含む方法。
【請求項２】
前記オンライン・プレゼンス情報を前記潜在的受信者に伝達するかどうかを決定することが、前記潜在的受信者が前記リストに含まれていない場合には前記オンライン・プレゼンス情報を前記潜在的受信者に伝達しないことを決定することを含む、請求項１記載の方法。
【請求項３】
前記オンライン・プレゼンス情報を前記潜在的受信者に伝達するかどうかを決定することが、前記オンライン・プレゼンス情報を前記潜在的受信者のインスタント・メッセージング・アプリケーションに伝達するかどうかを決定することを含む、請求項１記載の方法。
【請求項４】
前記オンライン・プレゼンス情報を前記潜在的受信者に伝達するかどうかを決定することが、前記オンライン・プレゼンス情報をＷｅｂページに表示するかどうかを決定することを含む、請求項１記載の方法。
【請求項５】
前記オンライン・プレゼンス情報を前記潜在的受信者に伝達するかどうかを決定することが、前記オンライン・プレゼンス情報をメンバ検索結果に表示するかどうかを決定することを含む、請求項１記載の方法。
【請求項６】
前記オンライン・プレゼンス情報を前記潜在的受信者に伝達するかどうかを決定することが、前記オンライン・プレゼンス情報をメンバ・プロファイルに表示するかどうかを決定することを含む、請求項１記載の方法。
【請求項７】
前記オンライン・プレゼンス情報を前記潜在的受信者に伝達するかどうかを決定することが、オンライン・プレゼンス情報の要求を前記潜在的受信者から受信した場合に前記オンライン・プレゼンス情報を前記潜在的受信者に伝達するかどうかを決定することを含む、請求項１記載の方法。
【請求項８】
前記オンライン・プレゼンス情報を前記潜在的受信者に伝達するかどうかを決定することが、前記潜在的受信者からの前記オンライン・プレゼンス情報の要求がない前記潜在的受信者に前記オンライン・プレゼンス情報を伝達するかどうかを決定することを含む、請求項１記載の方法。
【請求項９】
ある人物が前記ユーザにとって既知であることを、前記人物からの電子メール通信に関連する肯定的なユーザ・アクションに基づいて推論することと、
前記推論された人物を前記リストに追加することとをさらに含む、請求項１記載の方法。
【請求項１０】
前記肯定的なアクションが、前記人物に電子メールを送信することを含む、請求項９記載の方法。
【請求項１１】
前記肯定的なアクションが、前記人物から受信した電子メールに返信するか、その電子メールを転送、保存、または印刷することを含む、請求項９記載の方法。
【請求項１２】
前記肯定的なアクションが、電子メールを第１のフォルダから第２のフォルダに移すことを含む、請求項９記載の方法。
【請求項１３】
前記第１のフォルダが受信箱フォルダであり、前記第２のフォルダが、削除フォルダまたはスパム・フォルダ以外のフォルダである、請求項１２記載の方法。
【請求項１４】
前記肯定的なアクションが、前記人物からの電子メールを、所定時間の間、開かれたままにすることを含む、請求項９記載の方法。
【請求項１５】
ある人物が前記ユーザにとって既知であることを、前記ユーザと前記人物との間の通信を検出することに、少なくとも部分的に基づいて推論することと、
前記推論された人物を前記リストに追加することとをさらに含む、請求項１記載の方法。
【請求項１６】
前記通信がインスタント・メッセージング通信である、請求項１５記載の方法。
【請求項１７】
ある人物が前記ユーザにとって既知であることを推論することをさらに含む方法であって、推論することが、
前記ユーザの連絡先リストにアクセスして、前記ユーザの連絡先リストにある第１の連絡先を調べることと、
前記第１の連絡先の連絡先リストにアクセスして、前記第１の連絡先の連絡先リストにある第２の連絡先を調べることとを含む、請求項１記載の方法。
【請求項１８】
それに対して不利に作用するユーザ・アクションがない場合にはある人物が前記ユーザにとって既知であると推論される要因となるところの事柄に対して、その不利に作用するユーザ・アクションを検出することに、少なくとも部分的に基づいて、ある人物が前記ユーザにとって既知であると推論することをさらに含む、請求項１記載の方法。
【請求項１９】
前記ユーザ・アクションが、前記ユーザが前記人物からの通信をスパムとして報告するステップを実行することを含む、請求項１８記載の方法。
【請求項２０】
前記ユーザ・アクションが、人物をブラック・リストに追加するステップを実行することを含む、請求項１８記載の方法。
【請求項２１】
前記ユーザ・アクションが、前記人物からの通信を、スパム・フォルダおよび削除フォルダのいずれかに移すステップを実行することを含む、請求項１８記載の方法。
【請求項２２】
ある人物が前記ユーザにとって既知であると、前記ユーザが明確に指定することを可能にすることと、
前記指定された人物を前記リストに追加することとをさらに含む、請求項１記載の方法。
【請求項２３】
ある人物が前記ユーザにとって既知であることを推論することと、
前記推論された人物を前記リストに追加することとをさらに含む、請求項１記載の方法。
【請求項２４】
ある人物が前記ユーザにとって既知であることを、前記ユーザの連絡先リストにアクセスして確定することと、
前記確定された人物を前記リストに追加することとをさらに含む、請求項２３記載の方法。
【請求項２５】
オンライン・プレゼンス情報を提供するために、
ユーザにとって既知であると推論された人々のリストにアクセスする動作と、
前記ユーザのオンライン・プレゼンス情報にアクセスする動作と、
前記オンライン・プレゼンス情報の潜在的受信者を調べる動作と、
前記潜在的受信者を前記アクセスされたリストと比較して、前記潜在的受信者が前記リストに含まれているかどうかを調べる動作と、
前記潜在的受信者が前記リストに含まれているかどうかに基づいて、前記オンライン・プレゼンス情報を前記潜在的受信者に伝達するかどうかを決定する動作とを、コンピュータに実施させる命令を含む、具体化されたコンピュータ・プログラムを格納する、コンピュータが使用可能な媒体。
【請求項２６】
前記オンライン・プレゼンス情報を前記潜在的受信者に伝達するかどうかを決定するために、前記コンピュータ・プログラムが、前記潜在的受信者が前記リストに含まれていない場合には前記オンライン・プレゼンス情報を前記潜在的受信者に伝達しないことを決定することを、前記コンピュータにさせる命令をさらに含む、請求項２５記載の媒体。
【請求項２７】
前記オンライン・プレゼンス情報を前記潜在的受信者に伝達するかどうかを決定するために、前記コンピュータ・プログラムが、前記オンライン・プレゼンス情報を前記潜在的受信者のインスタント・メッセージング・アプリケーションに伝達するかどうかを決定することを、前記コンピュータにさせる命令をさらに含む、請求項２５記載の媒体。
【請求項２８】
前記オンライン・プレゼンス情報を前記潜在的受信者に伝達するかどうかを決定するために、前記コンピュータ・プログラムが、前記オンライン・プレゼンス情報をＷｅｂページに表示するかどうかを決定することを、前記コンピュータにさせる命令をさらに含む、請求項２５記載の媒体。
【請求項２９】
前記オンライン・プレゼンス情報を前記潜在的受信者に伝達するかどうかを決定するために、前記コンピュータ・プログラムが、前記オンライン・プレゼンス情報をメンバ検索結果に表示するかどうかを決定することを、前記コンピュータにさせる命令をさらに含む、請求項２５記載の媒体。
【請求項３０】
前記オンライン・プレゼンス情報を前記潜在的受信者に伝達するかどうかを決定するために、前記コンピュータ・プログラムが、前記オンライン・プレゼンス情報をメンバ・プロファイルに表示するかどうかを決定することを、前記コンピュータにさせる命令をさらに含む、請求項２５記載の媒体。
【請求項３１】
前記オンライン・プレゼンス情報を前記潜在的受信者に伝達するかどうかを決定するために、前記コンピュータ・プログラムが、オンライン・プレゼンス情報の要求を前記潜在的受信者から受信した場合に前記オンライン・プレゼンス情報を前記潜在的受信者に伝達するかどうかを決定することを、前記コンピュータにさせる命令をさらに含む、請求項２５記載の媒体。
【請求項３２】
前記オンライン・プレゼンス情報を前記潜在的受信者に伝達するかどうかを決定するために、前記コンピュータ・プログラムが、前記潜在的受信者からの前記オンライン・プレゼンス情報の要求がない前記潜在的受信者に前記オンライン・プレゼンス情報を伝達するかどうかを決定することを、前記コンピュータにさせる命令をさらに含む、請求項２５記載の媒体。
【請求項３３】
前記コンピュータ・プログラムが、
ある人物が前記ユーザにとって既知であることを、前記人物からの電子メール通信に関連する肯定的なユーザ・アクションに基づいて推論することと、
前記推論された人物を前記リストに追加することとを、前記コンピュータにさせる命令をさらに含む、請求項２５記載の媒体。
【請求項３４】
前記肯定的なアクションが、前記人物に電子メールを送信することを含む、請求項３３記載の媒体。
【請求項３５】
前記肯定的なアクションが、前記人物から受信した電子メールに返信するか、その電子メールを転送、保存、または印刷することを含む、請求項３３記載の媒体。
【請求項３６】
前記肯定的なアクションが、電子メールを第１のフォルダから第２のフォルダに移すことを含む、請求項３３記載の媒体。
【請求項３７】
前記第１のフォルダが受信箱フォルダであり、前記第２のフォルダが、削除フォルダまたはスパム・フォルダ以外のフォルダである、請求項３６記載の媒体。
【請求項３８】
前記肯定的なアクションが、前記人物からの電子メールを、所定時間の間、開かれたままにすることを含む、請求項３３記載の媒体。
【請求項３９】
前記コンピュータ・プログラムが、
ある人物が前記ユーザにとって既知であることを、前記ユーザと前記人物との間の通信を検出することに、少なくとも部分的に基づいて推論することと、
前記推論された人物を前記リストに追加することとを、前記コンピュータにさせる命令をさらに含む、請求項２５記載の媒体。
【請求項４０】
前記通信がインスタント・メッセージング通信である、請求項３９記載の媒体。
【請求項４１】
前記コンピュータ・プログラムが、ある人物が前記ユーザにとって既知であることを推論することを、前記コンピュータにさせる命令をさらに含み、ある人物が前記ユーザにとって既知であることを推論するために、前記コンピュータ・プログラムが、
前記ユーザの連絡先リストにアクセスして、前記ユーザの連絡先リストにある第１の連絡先を調べることと、
前記第１の連絡先の連絡先リストにアクセスして、前記第１の連絡先の連絡先リストにある第２の連絡先を調べることとを、前記コンピュータにさせる命令をさらに含む、請求項２５記載の媒体。
【請求項４２】
前記コンピュータ・プログラムが、それに対して不利に作用するユーザ・アクションがない場合にはある人物が前記ユーザにとって既知であると推論される要因となるところの事柄に対して、その不利に作用するユーザ・アクションを検出することに、少なくとも部分的に基づいて、ある人物が前記ユーザにとって既知であることを推論することを、前記コンピュータにさせる命令をさらに含む、請求項２５記載の媒体。
【請求項４３】
前記ユーザ・アクションが、前記ユーザが前記人物からの通信をスパムとして報告するステップを実行することを含む、請求項４２記載の媒体。
【請求項４４】
前記ユーザ・アクションが、人物をブラック・リストに追加するステップを実行することを含む、請求項４２記載の媒体。
【請求項４５】
前記ユーザ・アクションが、前記人物からの通信を、スパム・フォルダおよび削除フォルダのいずれかに移すステップを実行することを含む、請求項４２記載の媒体。
【請求項４６】
前記コンピュータ・プログラムが、
ある人物が前記ユーザにとって既知であると、前記ユーザが明確に指定することを可能にすることと、
前記指定された人物を前記リストに追加することとを、前記コンピュータにさせる命令をさらに含む、請求項２５記載の媒体。
【請求項４７】
前記コンピュータ・プログラムが、
ある人物が前記ユーザにとって既知であることを推論することと、
前記推論された人物を前記リストに追加することとを、前記コンピュータにさせる命令をさらに含む、請求項２５記載の媒体。
【請求項４８】
前記コンピュータ・プログラムが、
ある人物が前記ユーザにとって既知であることを、前記ユーザの連絡先リストにアクセスして確定することと、
前記確定された人物を前記リストに追加することとを、前記コンピュータにさせる命令をさらに含む、請求項４７記載の媒体。
【請求項４９】
オンライン・プレゼンス情報を提供する装置であって、
ユーザにとって既知であると推論された人々のリストにアクセスする手段と、
前記ユーザのオンライン・プレゼンス情報にアクセスする手段と、
前記オンライン・プレゼンス情報の潜在的受信者を調べる手段と、
前記潜在的受信者を前記維持されたリストと比較して、前記潜在的受信者が前記リストに含まれているかどうかを調べる手段と、
前記潜在的受信者が前記リストに含まれているかどうかに基づいて、前記オンライン・プレゼンス情報を前記潜在的受信者に伝達するかどうかを決定する手段とを含む装置。